(57)【要約】【課題】容器から簡単に取り外すことができる上、高い外観品質を得ることが可能となる肩カバーを提案する。【解決手段】本発明における容器の肩カバー３０は、内カバー４０と外カバー５０とからなり、内カバー４０は、環状縁部１３の内径側に位置しその内周面に内ねじ部４１ａを備える内壁４１と、環状縁部１３の外径側に位置する外壁４３とを備え、外カバー５０は、内壁４１の内径側に位置しその外周面に内ねじ部４１ａに係合する外ねじ部５１ａを有する内周壁５１と、外壁４３を取り囲み、外カバー５０の締め付けによって外壁４３を環状縁部１３に押し付けて内カバー４０を環状縁部１３に抜け止め保持する外周壁５３とを備えることを特徴とする。【選択図】図１
2014034416.tif 000002
【特許請求の範囲】
【請求項１】
容器のマウンティングカップに形成された環状縁部に装着され、容器内の内容物を噴出させるノズルをその内径側に収納する肩カバーであって、
前記肩カバーは、前記環状縁部の直上に位置する内カバーと、該内カバーに覆い被さる外カバーとからなり、
前記内カバーは、前記環状縁部の内径側に位置し該環状縁部に当接して該内カバーの回動を規制するとともにその内周面に内ねじ部を備える内壁と、該内壁につながる上部壁を介して一体連結するとともに該環状縁部の外径側に位置する外壁とを備え、
前記外カバーは、前記内壁の内径側に位置しその外周面に前記内ねじ部に係合する外ねじ部を有する内周壁と、該内周壁につながる天壁を介して前記外壁を取り囲み、該外カバーの締め付けによって該外壁を前記環状縁部に押し付けて該内カバーを該環状縁部に抜け止め保持する外周壁とを備えることを特徴とする容器の肩カバー。
【請求項２】
前記外壁は、該外壁を切り欠いて外壁片を形成する少なくとも１本の外側スリットを備える請求項１に記載の容器の肩カバー。
【請求項３】
前記内カバーの上部壁に、前記外カバーの締め付け終了域にて、前記外周壁の内周面に形成した位置決め凸部が乗り越える小突起と、該小突起を乗り越えた位置決め凸部に当接して該外カバーの締め付けを停止させる大突起とを設ける請求項１又は２に記載の容器の肩カバー。
【請求項４】
前記外周壁の内周面に、前記外カバーの緩み方向への回転に伴う上向き変位にて、前記外壁から突出させた外向き凸部に係合する内向き凸部を設ける請求項１〜３の何れかに記載の容器の肩カバー。
【請求項５】
前記内カバーおよび前記外カバー間に、緩み方向への回転に伴う前記外カバーの締め付け開放域にて前記開放域に到達したことを判別するための識別機構を設ける請求項１〜４の何れかに記載の容器の肩カバー。
【請求項６】
前記外カバーに、締め付け方向及び緩み方向の少なくとも一方を示す表示を設ける請求項１〜５の何れかに記載の容器の肩カバー。
【発明の詳細な説明】
【技術分野】
【０００１】
本発明は、マウンティングカップを有する容器に装着される肩カバーに関するものである。
【背景技術】
【０００２】
例えば加圧媒体を利用して内容物を噴出させるエアゾール式の容器においては、高い内圧にも耐え得るべく、有底筒状の容器本体の上端開口に金属製のマウンティングカップを装着することが一般的であり、押し下げにより内容物を噴射するノズルを容器のステムに取り付けるとともに、装飾効果を付与すること等を目的として合成樹脂製の肩カバーを、マウンティングカップの縁部を利用して係合保持するように構成している。そして、このような容器においては、内容物を使い切った容器本体の分別廃棄や、ノズルや肩カバーを新たな容器本体へ取り付けて再利用することを目的として、容器本体からノズル及び肩カバーを容易に取り外すことができるようにしたものが知られている（例えば特許文献１参照）。
【先行技術文献】
【特許文献】
【０００３】
【特許文献１】特開２００８−２４７４７０号公報
【発明の概要】
【発明が解決しようとする課題】
【０００４】
特許文献１に記載の押し下げヘッド式噴出容器においては、肩カバーとしての筒状装着部材１４を、筒状基体１６と筒状操作体４０との２つの部材で構成し、筒状操作体４０を螺脱させることで筒状基体１６の脚片２８の締め付けが解除され、容器体２からの取り外しが簡単に行えるようにしている。
【０００５】
ところで、筒状操作体４０において、筒状基体１６に螺着されるねじ部は、筒状操作体４０の外装壁の内周面に形成されていることから、外装壁の厚さが局所的に変化するため、成型条件のばらつき等によってはヒケ等を生じることがあり、見栄えに影響を与えることがあった。特に近年は、他社製品との差別化を図るべく高い外観品質が求められていて、このような要求に応える新たな商品の開発が求められていた。併せて、肩カバーの機構部をより小さなサイズで設計して、デザインの自由度を高めるとともに樹脂量を減らしてコストの削減を図ることも求められていた。
【０００６】
本発明は、このような点を解決することを課題とするものであり、その目的は、容器から簡単に取り外すことができる上、高い外観品質を得ることが可能となる、改良された肩カバーを提案するところにある。
【課題を解決するための手段】
【０００７】
本発明は、容器のマウンティングカップに形成された環状縁部に装着され、容器内の内容物を噴出させるノズルをその内径側に収納する肩カバーであって、
前記肩カバーは、前記環状縁部の直上に位置する内カバーと、該内カバーに覆い被さる外カバーとからなり、
前記内カバーは、前記環状縁部の内径側に位置し該環状縁部に当接して該内カバーの回動を規制するとともにその内周面に内ねじ部を備える内壁と、該内壁につながる上部壁を介して一体連結するとともに該環状縁部の外径側に位置する外壁とを備え、
前記外カバーは、前記内壁の内径側に位置しその外周面に前記内ねじ部に係合する外ねじ部を有する内周壁と、該内周壁につながる天壁を介して前記外壁を取り囲み、該外カバーの締め付けによって該外壁を前記環状縁部に押し付けて該内カバーを該環状縁部に抜け止め保持する外周壁とを備えることを特徴とする容器の肩カバーである。
【０００８】
前記外壁は、該外壁を切り欠いて外壁片を形成する少なくとも１本の外側スリットを備えることが好ましい。
【０００９】
前記内カバーの上部壁に、前記外カバーの締め付け終了域にて、前記外周壁の内周面に形成した位置決め凸部が乗り越える小突起と、該小突起を乗り越えた位置決め凸部に当接して該外カバーの締め付けを停止させる大突起とを設けることが好ましい。
【００１０】
前記外周壁の内周面に、前記外カバーの緩み方向への回転に伴う上向き変位にて、前記外壁から突出させた外向き凸部に係合する内向き凸部を設けることが好ましい。
【００１１】
前記内カバーおよび前記外カバー間に、緩み方向への回転に伴う前記外カバーの締め付け開放域にて前記開放域に到達したことを判別するための識別機構を設けることが好ましい。
【００１２】
前記外カバーに、締め付け方向及び緩み方向の少なくとも一方を示す表示を設けることが好ましい。
【発明の効果】
【００１３】
肩カバーを内カバーと外カバーの２つで構成し、内カバーの内壁に形成した内ねじ部と外カバーの内周壁に形成した外ねじ部とを係合させるとともに、マウンティングカップの環状縁部の外径側に内カバーの外壁を設け、また外カバーの外周壁をこの外壁を取り囲むように設けたので、外カバーを締め付け方向へ回転させて下向きに変位させることで、ねじ係合により外カバーを保持した内カバーが環状縁部に抜け止め保持される。一方、容器から内カバー及び外カバーを取り外すにあたっては、外カバーを緩み方向に回転させるだけで済むので、従来通りの簡単な操作が維持される。特に、外カバーに設ける外ねじ部は、容器の外側から直接視認できない内周壁に形成されているので、外ねじ部の周辺にヒケ等が生じることがあっても見栄えが損なわれることがない。また、内カバーの内壁及び外カバーの内周壁を利用してねじ部を設けた結果、従来の２パーツ構成の肩カバーよりもサイズを小さくすることが可能となったので、デザインの自由度が高まるとともに必要な樹脂量が減少してコストを抑えることができる。
【００１４】
内カバーの外壁に、この外壁を切り欠いて外壁片を形成する少なくとも１本の外側スリットを設ける場合は、これにより撓み量をより増やすことができる結果、外カバーの締め付けにてマウンティングカップの環状縁部へ押し付けられる外壁片の掛かり代が十分に確保されることとなり、肩カバーをより確実に保持することができる。また外カバーを緩めると、外壁片が復元して環状縁部と外壁片との隙間が確保されるので、肩カバーの取り外しがより簡単に行えるようになる。
【００１５】
内カバーの上部壁に、外カバーの締め付け終了域にて、外周壁の内周面に形成した位置決め凸部が乗り越える小突起と、この小突起を乗り越えた位置決め凸部に当接して外カバーの締め付けを停止させる大突起とを設ける場合は、小突起の乗り越えによって外カバーの締め付けが完了したことを使用者に認識させることができ、さらに大突起によって、外カバーの過度の締め付けが防止できるので、外カバーを締め込み過ぎて破損させてしまうおそれがなくなる。
【００１６】
外周壁の内周面に、外カバーの緩み方向への回転に伴う上向き変位にて、内カバーの外壁から突出させた外向き凸部に係合する内向き凸部を設ける場合は、取り外した外カバーを持ち上げると内カバーも一緒に持ち上げることができるので、肩カバーの取り外し作業がより簡単に行えるようになる。
【００１７】
前記内カバーおよび前記外カバー間に、緩み方向への回転に伴う前記外カバーの締め付け開放域にて前記開放域に到達したことを判別するための識別機構を設ける場合は、肩カバーが取り外し可能になったことを使用者に認識させることができるので、使い勝手がよくなる。
【００１８】
外カバーに、締め付け方向及び緩み方向の少なくとも一方を示す表示を設ける場合は、外カバーを何れの方向に回転すべきか容易に視認できるので、肩カバーの着脱がより簡単となる。
【図面の簡単な説明】
【００１９】
【図１】本発明に従う肩カバーの実施の形態につき、外カバーを締め付けて容器に装着した図であって、軸線を境として断面図と側面図とを示す。
【図２】（ａ）は、図１の容器からオーバーキャップを取り外した部分拡大図であり、（ｂ）は、（ａ）に示すＡ−Ａに沿う断面図であって、外カバーの位置決め凸部の周辺のみを示す。
【図３】外カバーを締め付ける前、及び外カバーを緩めた後の状態を示す部分拡大図である。
【図４】本発明に従う内カバーを示す図であり、軸線を境として図５のＤ−Ｄに沿う断面図と側面図とを示す。
【図５】図４に示す矢印Ｂからの矢視図（平面図）である。
【図６】図４に示す矢印Ｃからの矢視図（下面図）である。
【図７】本発明に従う外カバーを示す図であり、軸線を境として図８のＧ−Ｇに沿う断面図と側面図とを示す。
【図８】図７に示す矢印Ｅからの矢視図（平面図）である。
【図９】図７に示す矢印Ｆからの矢視図（下面図）である。
【発明を実施するための形態】
【００２０】
以下、図面を参照して、本発明をより具体的に説明する。
図１は、本発明に従う肩カバーの実施の形態につき、外カバーを締め付けて容器に装着した図であって、図２（ａ）は、図１の容器からオーバーキャップを取り外した部分拡大図であり、図２（ｂ）は、図２（ａ）に示すＡ−Ａに沿う断面図（外カバーの位置決め凸部の周辺のみを示す）であって、図３は、外カバーを締め付ける前、及び外カバーを緩めた後の状態を示す部分拡大図であって、図４は、本発明に従う内カバーを示す図であって、図５は、図４に示す矢印Ｂからの矢視図（平面図）であって、図６は、図４に示す矢印Ｃからの矢視図（下面図）であって、図７は、本発明に従う外カバーを示す図であって、図８は、図７に示す矢印Ｅからの矢視図（平面図）であって、図９は、図７に示す矢印Ｆからの矢視図（下面図）である。
【００２１】
図１において、符号１０は容器であり、符号２０はノズルであり、符号３０は肩カバーである。肩カバー３０は、内カバー４０と外カバー５０との２つの部材で構成されている。また、符号６０はオーバーキャップである。
【００２２】
図２（ａ）に詳細に示すように容器１０は、有底筒状となる金属製の容器本体１１の上端部に、これもまた金属製となるマウンティングカップ１２の外縁を巻き締めして（巻き締めした部位が環状縁部１３となる）固着したものであり、その内側に形成される密閉空間Ｍに、例えば化粧料や圧縮ガス等を収容している。
【００２３】
マウンティングカップ１２は、環状縁部１３から垂下する環状壁１４を有するとともに、環状壁１４の内径側に、この環状壁１４の下端縁に一体連結するフランジ付きの筒状部１５を備えている。また、筒状部１５には、押し下げによって密閉空間Ｍ内の内容物を吐出させるステム１６を設けている。
【００２４】
ノズル２０は、合成樹脂製であって、ステム１６に連続する縦筒部２１と、縦筒部２１の上端から斜め上方に向けて延びる横筒部２２とを有するとともに、縦筒部２１の外径側に、これら縦筒部２１及び横筒部２２と一体連結する外側筒部２３を備えている。さらに、外側筒部２３の下端には、外径側に向けて張り出す爪部２４を設けていて、縦筒部２１と外側筒部２３との相互間には、周方向に間隔をあけて補強リブ２５を設けている。
【００２５】
次に内カバー４０について説明する。内カバー４０は、合成樹脂にて形成され、環状縁部１３の直上に載置されるものであり、環状縁部１３の内径側に位置する環状の内壁４１と、内壁４１の上端につながる上部壁４２を介して一体連結するとともに環状縁部１３の外径側に位置する外壁４３とを備えている。また、本実施の形態において上部壁４２は、外壁４３との連結部に段部４４を備えている。
【００２６】
内壁４１は、図４に示すように、その内周面（内径側の面）に内ねじ部４１ａを備えている。また内壁４１の外周面には、支持リブ４１ｂ（本実施の形態では、図６に示すように周方向に均等配置で３個）を設けている。ここで支持リブ４１ｂは、図２（ａ）に示すように容器１０に取り付けられた際に環状縁部１３と当接して、内カバー４０を支持するものである。さらに、図４に示すように内壁４１の外周面には、外径側に突出する縦型凸部４１ｃ（本実施の形態では、図６に示すように周方向に均等配置で６個）を備えている。また、図４に示すように内壁４１の下部には、この内壁４１を切り欠く少なくとも１本の内側スリット４１ｄを備えていて、これにより内壁片４１ｅが形成される。本実施の形態では、図６に示すように内側スリット４１ｄを周方向に均等配置で６本設けていて、これにより内壁４１を６個の内壁片４１ｅに分離することで内壁４１をより撓みやすくしているので、肩カバー３０を取り外す際に内カバー４０を斜め方向に倒しながら持ち上げることがあっても、内壁４１を不用意に破損させてしまうおそれを取り除くことができる。なお、マウンティングカップ１２の環状縁部１３に対する内カバー４０の回り止め効果をより高める場合には、内側スリット４１ｄを設けることなく環状の内壁４１としてもよい。
【００２７】
外壁４３は、図４に示すように外周面を凹ませた薄肉部４３ａを有するとともに、その下端部の内周面には、内径側に膨出する膨出部４３ｂを備えている。また、薄肉部４３ａの上部の外周面には、本実施の形態では環状となる外向き凸部４３ｃを備えている。さらに、外壁４３の下部には、この外壁４３を切り欠く少なくとも１本の外側スリット４３ｄを備えていて、これにより外壁片４３ｅが形成される。本実施の形態では、図６に示すように外側スリット４３ｄを周方向に均等配置で３本設けていて、これにより外壁４３を３個の外壁片４３ｅに分離している。
【００２８】
段部４４は、図５に示すように小突起４４ａと、この小突起４４ａに隣接して設けられる大突起４４ｂとを備えている。本実施の形態では、小突起４４ａ及び大突起４４ｂを２組備えている。
【００２９】
次に外カバー５０について説明する。外カバー５０は、合成樹脂にて形成されるとともに、図２（ａ）に示すように内カバー４０に覆い被さるものであり、内カバー４０の内壁４１の内径側に位置する環状の内周壁５１と、内周壁５１の上端につながる天壁５２を介して外壁４３を取り囲む外周壁５３とを備えている。また、本実施の形態においては、天壁５２と外周壁５３との連結部に外側段部５４を設けている。
【００３０】
内周壁５１は、図７に示すように、その外周面（外径側の面）に外ねじ部５１ａを備えている。また内周壁５１の内周面には、その下部に内径側に向けて張り出す爪部５１ｂを周方向に間隔をあけて複数個設けていて、爪部５１ｂの上部には、縦リブ５１ｃを周方向に間隔をあけて複数個設けている。本実施の形態では、図８に示すように、爪部５１ｂ及び縦リブ５１ｃともに８個ずつ設けている。
【００３１】
外周壁５３は、その内周面の上部に、図９に示すように爪状の位置決め凸部５３ａを備えている。さらに、外周壁５３の内周面の下部には、内径側に突出する内向き凸部５３ｂを備えている。本実施の形態において内向き凸部５３ｂは、図９に示すように周方向に均等配置で３個設けられている。
【００３２】
そして、図１に示すようにオーバーキャップ６０は、頂壁６１の外縁から筒状の外壁６２を垂下させた形態をなしていて、ノズル２０を内側に収めて外カバー５０の外側段部５４上に着脱自在に保持される。
【００３３】
上記のように構成されるノズル２０、内カバー４０、外カバー５０を容器１０に取り付けるにあたっては、図３に示すようにマウンティングカップ１２の環状縁部１３上に載置した内カバー４０に、予めノズル２０を挿入しておいた外カバー５０を被せ、外カバー５０を締め付け方向に回転させる。これにより、図２（ａ）に示すように外カバー５０は下向きに変位し、外周壁５３が外壁４３を環状縁部１３に押し付ける結果、膨出部４３ｂが環状縁部１３に係合して、内カバー４０は環状縁部１３に抜け止め保持される。また、ノズル２０は、その爪部２４が外カバー５０の爪部５１ｂに係合して抜け止め保持される。
【００３４】
本実施の形態においては、内カバー４０の外壁４３に薄肉部４３ａを設けるとともに、図４に示した外側スリット４３ｄにて外壁片４３ｅを形成しているので、外壁片４３ｅが撓みやすくなり、内カバー４０と環状縁部１３との係合がより確実に行えるようになる。また、本実施の形態においては、内カバー４０の内壁４１に縦型凸部４１ｃを設けているので、マウンティングカップ１２の環状壁１４に縦型凸部４１ｃが局所的に当接して高い圧力で押し付けることが可能となり、内カバー４０の回り止め効果を高めることができる。そして、外カバー５０の締め付け終了域では、図２（ｂ）に示すように、外カバー５０の位置決め凸部５３ａが内カバー４０の小突起４４ａを乗り越えることで、外カバー５０の締め付けが完了したことを使用者に認識させることができる。また、小突起４４ａを乗り越えた後は、小突起４４ａに隣接する大突起４４ｂに位置決め凸部５３ａが当接して、外カバー５０のさらなる締め付けが阻止されるので、外カバー５０を締め込み過ぎて破損させてしまうおそれがなくなる。
【００３５】
容器１０から内容物を噴出させるにあたっては、ノズル２０を押し下げることでステム１６も押し下げられ、これにより、ステム１６を通して吐出する内容物が、縦筒部２１及び横筒部２２の内部通路を通して外界に噴出される。本実施の形態においては、外カバー５０の内周壁５１に縦リブ５１ｃを設けているので、ノズル２０が斜めに押し込まれることがあっても、ノズル２０の外側筒部２３が接触する部位は、縦リブ５１ｃに限定されて内周壁５１との全面的な接触が避けられるので、ノズル２０は元の位置にスムーズに戻ることができる。
【００３６】
内容物を使い切った後は、外カバー５０を緩み方向へ回転させる。これにより、図３に示すように外カバー５０は上向きに変位し、外壁４３への押し付けが解除されて、外壁４３は元の形状に復元する。そして、外カバー５０をそのまま持ち上げると、外カバー５０の内向き凸部５３ｂが内カバー４０の外向き凸部４３ｃに係合して、内カバー４０も一緒に持ち上げられる。さらに、持ち上げた外カバー５０の天壁５２が、ノズル２０の横筒部２２に引っ掛かるので、外カバー５０、内カバー４０及びノズル２０を一緒に取り外すことができ、取り外しに係る作業効率が向上する。なお、本実施の形態において、外向き凸部４３ｃは環状であり、内向き凸部５３ｂは複数個が間欠状に設けられているが、外向き凸部４３ｃを間欠状に設けるとともに内向き凸部５３ｂを環状としてもよく、また、両方とも環状としてもよい。
【００３７】
内カバー４０および外カバー５０の間には、図示は省略するが、緩み方向への回転に伴い、内カバー４０と外カバー５０との係合が外れる外カバー５０の締め付け開放域にて、この開放域に到達したことを判別するための識別機構を設けることが好ましい。識別機構の具体的な構成としては、例えば、内壁４１と内周壁５１との相互間又は外壁４３と外周壁５３との相互間に、外カバー５０を緩み方向へ回転させて締め付け開放域に達した際に、一方が他方を乗り越えることでクリック感を与えるようにした一対の凸部を設けることが挙げられるが、他にも既知の種々の構成が適用できる。
【００３８】
また、図示は省略するが、外カバー５０の視認できる部位に、その締め付け方向及び緩み方向の少なくとも一方を示す表示（例えば矢印）等を設けることで、肩カバー３０の着脱がより簡単に行えるようになる。
【産業上の利用可能性】
【００３９】
本発明によれば、容器から簡単に取り外すことができ、しかも外観品質にも優れた肩カバーを提供できる。
【符号の説明】
【００４０】
１０  容器
１２  マウンティングカップ
１３  環状縁部
２０  ノズル
３０  肩カバー
４０  内カバー
４１  内壁
４１ａ  内ねじ部
４１ｄ  内側スリット
４２  上部壁
４３  外壁
４３ｃ  外向き凸部
４３ｄ  外側スリット
４４ａ  小突起
４４ｂ  大突起
５０  外カバー
５１  内周壁
５１ａ  外ねじ部
５２  天壁
５３  外周壁
５３ａ  位置決め凸部
５３ｂ  内向き凸部
【図１】
2014034416.tif 000003
【図２】
2014034416.tif 000004
【図３】
2014034416.tif 000005
【図４】
2014034416.tif 000006
【図５】
2014034416.tif 000007
【図６】
2014034416.tif 000008
【図７】
2014034416.tif 000009
【図８】
2014034416.tif 000010
【図９】
2014034416.tif 000011